【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器(UE)によって、第1のスロットのダウンリンク制御部分においてアップリンク制御構成指示を受信するステップであって、前記第1のスロットが、前記ダウンリンク制御部分と、アップリンクロングバースト部分と、アップリンクショートバースト部分とを含み、前記アップリンクロングバースト部分が、前記ダウンリンク制御部分と前記アップリンクショートバースト部分との間に位置する、ステップと、
前記UEによって、前記アップリンク制御構成指示に少なくとも部分的に基づいて、第1のアップリンク制御情報(UCI)の送信のために前記第1のスロットの前記アップリンクロングバースト部分または前記アップリンクショートバースト部分の少なくとも一方上に物理アップリンク制御チャネル(PUCCH)を構成するステップであって、前記第1のUCIが第2のUCIに対応し、前記第1のUCIおよび前記第2のUCIは、前記第1のスロットにおいて送信され、前記PUCCHは、前記アップリンクロングバースト部分上と前記アップリンクショートバースト部分上の両方に構成される、ステップと、
前記UEによって、前記構成されたPUCCH上で前記第1のUCIを送信するステップとを含む方法。
【請求項２】
i)前記第1のUCIと前記第2のUCIは、ジョイント符号化UCIとしてジョイント符号化される、
ii)前記第2のUCIは、前記第1のUCIの繰返しであり、
前記第1のUCIは、前記第1のスロットの前記アップリンクロングバースト部分において送信され、
前記第2のUCIは、前記第1のスロットの前記アップリンクショートバースト部分において送信される、
iii)前記PUCCHは、前記アップリンク制御構成指示においてシグナリングされるか、または前記アップリンク制御構成指示の受信に関連する特徴から導き出される1つもしくは複数の周波数帯域上に構成される、
iv)前記第1のUCIまたは前記第2のUCIの少なくとも一方の送信と同時にコンテンツを送信するために前記アップリンクロングバースト部分または前記アップリンクショートバースト部分の少なくとも一方上に物理アップリンク共有チャネル(PUSCH)が構成される、または、
v)前記第2のUCIは、前記第1のUCIの繰返しであり、
前記PUCCHは、前記第1のUCIの送信のための前記第1のスロットの1つまたは複数の第1の周波数帯域および前記第2のUCIの送信のための第2のスロットの1つまたは複数の第2の周波数帯域上に構成され、前記1つまたは複数の第1の周波数帯域は、
前記1つまたは複数の第2の周波数帯域と同じであるか、あるいは
前記1つまたは複数の第2の周波数帯域とは異なる、請求項1に記載の方法。
【請求項３】
前記アップリンク制御構成指示は、前記PUCCHを前記アップリンクロングバースト部分にのみ構成すべきかそれとも前記アップリンクロングバースト部分と前記アップリンクショートバースト部分の両方に構成すべきであるかを指示する、請求項2に記載の方法。
【請求項４】
i)前記アップリンク制御構成指示が、前記PUCCHを前記アップリンクロングバースト部分にのみ構成すべきであることを指示するときに、前記ジョイント符号化UCIの1つまたは複数のビットが切り捨てられる、または、
ii)前記アップリンク制御構成指示が、前記PUCCHを前記アップリンクロングバースト部分と前記アップリンクショートバースト部分の両方に構成すべきであることを指示するときに、前記ジョイント符号化UCIの1つまたは複数のビットが繰り返され、前記アップリンクショートバースト部分において送信される、請求項3に記載の方法。
【請求項５】
前記ダウンリンク制御部分の持続時間に少なくとも部分的に基づいて、前記ジョイント符号化UCIの1つまたは複数のビットが切り捨てられるかまたは繰り返される、請求項4に記載の方法。
【請求項６】
ii)について、
前記1つまたは複数の周波数帯域は、前記アップリンクロングバースト部分に1つまたは複数の第1の周波数帯域を含み、前記アップリンクショートバースト部分に1つまたは複数の第2の周波数帯域を含み、前記1つまたは複数の第1の周波数帯域は、
前記1つまたは複数の第2の周波数帯域と同じであるか、あるいは
前記1つまたは複数の第2の周波数帯域とは異なる、請求項2に記載の方法。
【請求項７】
v)について、
i)前記1つまたは複数の第1の周波数帯域は、前記第1のスロットの前記ダウンリンク制御部分において受信される前記アップリンク制御構成指示に少なくとも部分的に基づいて決定され、
前記1つまたは複数の第2の周波数帯域は、前記第2のスロットのダウンリンク制御部分において受信される異なるアップリンク制御構成指示に少なくとも部分的に基づいて決定される、または、
ii)前記第1のスロットの前記ダウンリンク制御部分は、第1のダウンリンク制御部分であり、前記第1のスロットの前記アップリンクロングバースト部分は、第1のアップリンクロングバースト部分であり、前記第1のスロットの前記アップリンクショートバースト部分は、第1のアップリンクショートバースト部分であり、
前記第2のスロットは、第2のダウンリンク制御部分と、第2のアップリンクロングバースト部分と、第2のアップリンクショートバースト部分とを含む、請求項2に記載の方法。
【請求項８】
前記第2のUCIは、前記第1のUCIが基地局によって首尾よく復号されたことの指示を受信することに少なくとも部分的に基づいて送信されない、請求項7に記載の方法。
【請求項９】
ii)について、
前記第1のUCIは、前記第1のスロットの前記第1のアップリンクロングバースト部分または前記第1のアップリンクショートバースト部分の少なくとも一方において送信され、
前記第2のUCIは、前記第2のスロットの前記第2のアップリンクロングバースト部分または前記第2のアップリンクショートバースト部分の少なくとも一方において送信される、請求項7に記載の方法。
【請求項１０】
i)前記第1のUCIと前記第2のUCIは、ジョイント符号化UCIとしてジョイント符号化され、
前記PUCCHは、前記ジョイント符号化UCIの送信のために前記第1のスロットの1つまたは複数の第1の周波数帯域および第2のスロットの1つまたは複数の第2の周波数帯域上に構成され、前記1つまたは複数の第1の周波数帯域は、
前記1つまたは複数の第2の周波数帯域と同じであるか、あるいは
前記1つまたは複数の第2の周波数帯域とは異なる、
ii)前記第1のスロットと前記第2のスロットは連続している、
iii)前記第1のスロットと前記第2のスロットは不連続である、
iv)前記アップリンク制御構成指示は、
UCIを繰り返すかまたはジョイント符号化すべきスロットの数、
前記第1のUCIおよび前記第2のUCIを連続するスロットにおいて繰り返すかまたはジョイント符号化すべきであるか、それとも不連続スロットにおいて繰り返すかまたはジョイント符号化すべきであるか、
繰返しUCIまたはジョイント符号化UCIの送信用のスロットパターン、
前記第2のスロットをダウンリンク制御部分を含むように構成すべきかどうか、または
これらの任意の組合せのうちの少なくとも1つを指示する、または、
v)前記第1のUCIおよび前記第2のUCIは、
前記第1のUCIと前記第2のUCIとを含むUCIのペイロードのサイズがしきい値以下であるときには繰返しUCIであり、
前記UCIのペイロードを送信するのに使用すべきスロットの数がしきい値以上であるときには繰返しUCIであり、
前記UCIのペイロードのサイズがしきい値以上であるときにはジョイント符号化UCIであり、
前記UCIのペイロードを送信するのに使用すべきスロットの数がしきい値以下であるときにはジョイント符号化UCIであるように構成される、請求項1に記載の方法。
【請求項１１】
i)について、
i)前記1つまたは複数の第1の周波数帯域および前記1つまたは複数の第2の周波数帯域は、前記第1のスロットの前記ダウンリンク制御部分において受信される前記アップリンク制御構成指示に少なくとも部分的に基づいて決定される、
ii)前記1つまたは複数の第1の周波数帯域および前記1つまたは複数の第2の周波数帯域は、前記アップリンク制御構成指示の受信に関連する特徴から導き出される周波数オフセットに少なくとも部分的に基づいて決定される、
iii)前記第1のスロットの前記アップリンクロングバースト部分は、第1のアップリンクロングバースト部分であり、前記第1のスロットの前記アップリンクショートバースト部分は、第1のアップリンクショートバースト部分であり、
前記第2のスロットは、第2のアップリンクロングバースト部分と第2のアップリンクショートバースト部分とを含む、請求項10に記載の方法。
【請求項１２】
iii)について、
前記第2のスロットは、ダウンリンク制御部分を含まない、または、
前記ジョイント符号化UCIは、前記第1のスロットの前記第1のアップリンクロングバースト部分または前記第1のアップリンクショートバースト部分の少なくとも一方および前記第2のスロットの前記第2のアップリンクロングバースト部分または前記第2のアップリンクショートバースト部分の少なくとも一方において送信される、請求項11に記載の方法。
【請求項１３】
ワイヤレス通信の方法であって、
基地局によって、第1のスロットのダウンリンク制御部分においてアップリンク制御構成指示を送信するステップであって、前記第1のスロットが、前記ダウンリンク制御部分と、アップリンクロングバースト部分と、アップリンクショートバースト部分とを含み、前記アップリンクロングバースト部分が、前記ダウンリンク制御部分と前記アップリンクショートバースト部分との間に位置する、ステップであって、
前記アップリンク制御構成指示が、ユーザ機器(UE)に、第1のアップリンク制御情報(UCI)の送信のために、前記第1のスロットの前記アップリンクロングバースト部分上および前記アップリンクショートバースト部分上の両方に物理アップリンク制御チャネル(PUCCH)を構成するように指示し、前記第1のUCIが第2のUCIに対応し、前記第1のUCIおよび前記第2のUCIが前記第1のスロットにおいて前記UEによって送信される、ステップと、
前記基地局によって、前記構成されたPUCCH上で前記第1のUCIを受信するステップとを含む方法。
【請求項１４】
ワイヤレス通信のためのユーザ機器(UE)であって、
メモリと、
前記メモリに動作可能に結合された1つまたは複数のプロセッサとを備え、前記メモリおよび前記1つまたは複数のプロセッサが、
第1のスロットのダウンリンク制御部分においてアップリンク制御構成指示を受信することであって、前記第1のスロットが、前記ダウンリンク制御部分と、アップリンクロングバースト部分と、アップリンクショートバースト部分とを含み、前記アップリンクロングバースト部分が、前記ダウンリンク制御部分と前記アップリンクショートバースト部分との間に位置する、受信することと、
前記アップリンク制御構成指示に少なくとも部分的に基づいて、第1のアップリンク制御情報(UCI)の送信のために前記第1のスロットの前記アップリンクロングバースト部分または前記アップリンクショートバースト部分の少なくとも一方上に物理アップリンク制御チャネル(PUCCH)を構成することであって、前記第1のUCIが第2のUCIに対応し、前記第1のUCIおよび前記第2のUCIが前記第1のスロットにおいて送信され、前記PUCCHは、前記アップリンクロングバースト部分上と前記アップリンクショートバースト部分上の両方に構成される、構成することと、
前記構成されたPUCCH上で前記第1のUCIを送信することとを行うように構成されるユーザ機器。
【請求項１５】
ワイヤレス通信のための基地局であって、
メモリと、
前記メモリに動作可能に結合された1つまたは複数のプロセッサとを備え、前記メモリおよび前記1つまたは複数のプロセッサが、
第1のスロットのダウンリンク制御部分においてアップリンク制御構成指示を送信することであって、前記第1のスロットが、前記ダウンリンク制御部分と、アップリンクロングバースト部分と、アップリンクショートバースト部分とを含み、前記アップリンクロングバースト部分が、前記ダウンリンク制御部分と前記アップリンクショートバースト部分との間に位置する、送信することであって、
前記アップリンク制御構成指示が、ユーザ機器(UE)に、第1のアップリンク制御情報(UCI)の送信のために、前記第1のスロットの前記アップリンクロングバースト部分または前記アップリンクショートバースト部分の少なくとも一方上に物理アップリンク制御チャネル(PUCCH)を構成するように指示し、前記第1のUCIが第2のUCIに対応し、前記第1のUCIおよび前記第2のUCIが前記第1のスロットにおいて前記UEによって送信される、送信することと、
前記構成されたPUCCH上で前記第1のUCIを受信することとを行うように構成される基地局。